(57)【要約】      （修正有）【課題】挿入接続孔からの電子製品内への進水を効果的に防止することができるオーディオコンセントコネクターを提供する。【解決手段】オーディオコンセントコネクターは、絶縁本体１０、複数の端子、蓋体３０を備え、絶縁本体１０は本体部１１を備え、本体部１１上には挿入接続孔と複数の端子槽を開設し、本体部１１一端には第一挿入接続構造を設置し、複数の端子は絶縁本体１０上の端子槽内にそれぞれ収容され、蓋体３０は絶縁本体１０上に嵌設して固定し、蓋体３０はベースを備え、ベース上には第二挿入接続構造を設置し、第二挿入接続構造と第一挿入接続構造とは挿入方式で対応する。【選択図】図２
0003152592.tif 000002
【実用新案登録請求の範囲】
【請求項１】
絶縁本体、複数の端子、蓋体を備え、
前記絶縁本体は、本体部を備え、前記本体部上には、挿入接続孔を開設し、前記本体部は、前記挿入接続孔の孔壁上に、前記挿入接続孔と相互に連通する複数の端子槽を開設し、前記本体部の一端は、周辺位置に対応して、第一挿入接続構造を設置し、
前記複数の端子は、前記絶縁本体上の端子槽内にそれぞれ収容され、
前記蓋体は、前記絶縁本体上に嵌設して固定し、前記蓋体は、ベースを備え、前記ベース上には、第二挿入接続構造を設置し、
前記第二挿入接続構造と、前記第一挿入接続構造とは、挿入方式で対応することを特徴とするオーディオコンセントコネクター。
【請求項２】
前記第一挿入接続構造は、前記本体部上に突出して形成する第一係合部、第二係合部、及び前記第一係合部と前記第二係合部との間に開設する第一収容孔と第二収容孔を備え、  前記第二挿入接続構造は、前記ベース上に開設する挿入接続槽、前記挿入接続槽両側に開設する第一溝と第二溝、及び前記第一溝と前記第二溝との間に突出して設置する第一挿入接続ブロックと第二挿入接続ブロックを備え、
前記第一係合部と前記第二係合部は、前記挿入接続槽、前記第一溝、前記第二溝内にそれぞれ対応して収容され、前記第一挿入接続ブロックと前記第二挿入接続ブロックは、前記第一収容孔と前記第二収容孔内に、対応して収容されることを特徴とする請求項１に記載のオーディオコンセントコネクター。
【請求項３】
前記ベースの一端は突出して、横壁を備え、前記横壁上には、開口部を開設し、前記開口部の一端は、開口内に向かい突出して、係合ブロックを備え、
前記ベースの反対端は突出して、２個の噛み合い部を備え、前記２個の噛み合い部末端は、それぞれ横へと延伸して、係合フック部を形成し、
前記本体部上表面は、前記第一挿入接続構造一端位置に対応して、開槽を設置し、前記開槽中央には、凸台を設置し、前記凸台表面には、導引斜面を設置し、
前記本体部一端には、前記本体部前表面と下表面を貫通する２個の係合槽を設置し、前記２個の係合槽前端は、それぞれ左右両側に向かい延伸して、固定槽を形成し、
前記横壁は、前記開槽内に合わさり、前記係合ブロックは、前記凸台上に、係合し、前記噛み合い部は、前記係合槽内に係合し、前記係合フック部は、前記固定槽内に収容されることを特徴とする請求項１に記載のオーディオコンセントコネクター。
【請求項４】
前記横壁両端は、垂直に連続する両側壁を備え、前記両側壁は、前記開槽内の凸台両側に収容設置されることを特徴とする請求項３に記載のオーディオコンセントコネクター。
【請求項５】
前記第一挿入接続構造は、環状の挿入部で、前記第二挿入接続構造は、環状の収容設置槽であることを特徴とする請求項１に記載のオーディオコンセントコネクター。
【請求項６】
前記第一挿入接続構造は、環状の収容設置槽で、前記第二挿入接続構造は、環状の挿入部であることを特徴とする請求項１に記載のオーディオコンセントコネクター。
【考案の詳細な説明】
【技術分野】
【０００１】
本考案はオーディオコンセントコネクターに関し、特に防水機能を備えるオーディオコンセントコネクターに関する。
【背景技術】
【０００２】
音声効果を提供することができるオーディオコンセントコネクターは、AV製品中に広く応用されており、２つのシステム間の音声信号伝送を主な機能とする。近年、携帯電話、PDA、MR3、ノート型コンピューターなどのコンパクトな電子製品が次々に発売され、これら製品におけるオーディオコンセントコネクターの応用がより重要になって来ている。
【０００３】
従来のオーディオコンセントコネクターは、一般には、絶縁本体、絶縁本体上に固定される端子、絶縁本体一端を覆う蓋体を備える。絶縁本体上には、絶縁本体を貫通する挿入接続孔を設置する。しかし、上記した従来のオーディオコンセントコネクターの蓋体と、絶縁本体とが合わさる表面の多くは平面であるが、この種の構造の蓋体は、絶縁本体との緊密接合が難しい。そのため、水が外界から挿入接続孔中に進入すると、蓋体と絶縁本体との間の組立て間隙を容易に通過し、オーディオコンセントコネクターを配置する電子製品中へと進入してしまう。本考案は、従来のオーディオコンセントコネクターの上記した欠点に鑑みてなされたものである。
【考案の概要】
【考案が解決しようとする課題】
【０００４】
本考案が解決しようとする課題は、挿入接続孔からの電子製品内への進水を効果的に防止することができるオーディオコンセントコネクターを提供することである。
【課題を解決するための手段】
【０００５】
上記課題を解決するため、本考案は下記のオーディオコンセントコネクターを提供する。
オーディオコンセントコネクターは、絶縁本体、複数の端子、蓋体を備え、
該絶縁本体は、本体部を備え、該本体部上には、挿入接続孔を開設し、該本体部は、該挿入接続孔の孔壁上に、該挿入接続孔と相互に連通する複数の端子槽を開設し、該本体部の一端は、周辺位置に対応して、第一挿入接続構造を設置し、
該複数の端子は、該絶縁本体上の端子槽内にそれぞれ収容され、
該蓋体は、該絶縁本体上に嵌設して固定し、該蓋体は、ベースを備え、該ベース上には、第二挿入接続構造を設置し、
該第二挿入接続構造と、該第一挿入接続構造とは、挿入方式で対応する。
【考案の効果】
【０００６】
本考案オーディオコンセントコネクターは、第二挿入接続構造と、第一挿入接続構造とが挿入方式で対応するため、蓋体と絶縁本体とは緊密に接合され、こうして挿入接続孔から、水がオーディオコンセントコネクターを配置する電子製品中へと進入することを防止可能である。
【図面の簡単な説明】
【０００７】
【図１】本考案オーディオコンセントコネクターの立体図である。
【図２】オーディオコンセントコネクターの立体分解図である。
【図３】図１に示すオーディオコンセントコネクターの絶縁本体の立体図である。
【図４】図１に示すオーディオコンセントコネクターの絶縁本体の別の角度からの立体図である。
【図５】図１に示すオーディオコンセントコネクターの蓋体の立体図である。
【図６】図１に示すオーディオコンセントコネクターの蓋体が絶縁本体上に嵌合する様子を示し、絶縁本体の局部を断面図とする立体図である。
【考案を実施するための形態】
【０００８】
以下に図面を参照しながら本考案を実施するための最良の形態について詳細に説明する。
【実施例】
【０００９】
図１に示すように、本考案オーディオコンセントコネクター１００は、絶縁本体１０、複数の端子２０、蓋体３０を備える。
【００１０】
図２、３、４に示すように、絶縁本体１０は、本体部１１、及び本体部１１の両端にそれぞれ備える対応接続部１２と挿入接続部１３を備える。本体部１１は、対応接続部１２から本体部１１内に向かい、挿入接続孔１１１を開設する。挿入接続孔１１１は、さらに本体部１１内部へと延伸し、本体部１１の挿入接続部１３まで貫通する。これにより、オーディオコンセントコネクター１００内部は、中空を形成し、オーディオプラグ(図示なし)をその中に挿入可能となる。本体部１１の上表面の挿入接続部１３に近い側には、開槽１４を開設する。開槽１４中央部には、凸台１４１を設置する。凸台１４１の上表面には、挿入接続部１３一端より、本体部１１一端へと向かい傾斜する導引斜面１４２を設置する。本体部１１は、挿入接続部１３の底端に、本体部１１前表面と下表面を貫通する２個の係合槽１５を開設する。２個の係合槽１５後端は、それぞれ本体部１１両側へと延伸して固定槽１５１を形成する。挿入接続部１３は、挿入接続孔１１１の上、下辺縁に沿って、外へと突出して横方向に延伸し、第一係合部１３１と第二係合部１３２を設置する。第一係合部１３１は、第一横部１３１１、第一弧状部１３１２、第二横部１３１３により構成する。第二係合部１３２は、第三横部１３２１、第二弧状部１３２２、第四横部１３２３により構成する。本体部１１は、挿入接続孔１１１両側に、挿入接続孔１１１と相互に連通する複数の音声端子槽１６を開設する。第三横部１３２１は、音声端子槽１６により隔絶される。
【００１１】
本体部１１は、対応接続部１２に近い一端に、片側へと延伸する収容設置孔１２１を設置する。収容設置孔１２１上下両側には、複数の充電端子槽１７を開設する。本体部１１は、相互に対応する第一横部１３１１と第三横部１３２１との間に、第一収容孔１３３を開設し、もう１組の相互に対応する第二横部１３１３と第四横部１３２３との間には、第二収容孔１３４を開設する。本体部１１は、対応接続部１２に近い上表面の両端に、それぞれ定位ブロック１８を設置する。本体部１１両側は、外へと突出し、斧の形状を呈する複数の係合点１９を設置する。第一係合部１３１、第二係合部１３２、及び第一係合部１３１と第二係合部１３２との間に位置する第一収容孔１３３と第二収容孔１３４は、第一挿入接続構造を構成する。
【００１２】
図２、３に示すように、複数の端子２０は、絶縁本体１０上に固定される。複数の端子２０は、伝送端子ユニット２１、スイッチ端子ユニット２２を備える。伝送端子ユニット２１は、複数の音声端子２１１、複数の充電端子２１２により構成する。各音声端子２１１は、本体部１１の挿入接続孔１１１両側に設置する音声端子槽１６中に設置する。各充電端子２１２は、本体部１１の収容設置孔１２１上下両側に設置する充電端子槽１７中に設置する。スイッチ端子ユニット２２は、固定端子２２１、弾性端子２２２を備える。固定端子２２１と弾性端子２２２両側には共に、嵌合孔２２３を開設し、しかも固定端子２２１頂点部の両端には、定位孔２２４をそれぞれ開設する。定位ブロック１８は、定位孔２２４内に嵌合され、本体部１１両側に設置する斧の形状の係合点１９は、嵌合孔２２３内に嵌合される。こうして、固定端子２２１と弾性端子２２２を、本体部１１外側を覆うように固定する。
【００１３】
図５に示すように、蓋体３０は、絶縁本体１０上に嵌設する。蓋体３０は、ベース３１を備え、ベース３１の後表面には、円形の挿入接続槽３２を開設する。挿入接続槽３２の中央部は、内部へと窪み、収容槽３２１を設置する。挿入接続槽３２の両側には、挿入接続槽３２と連通する第一溝３３と第二溝３４をそれぞれ対称に設置する。ベース３１は、挿入接続槽３２両側の第一溝３３と第二溝３４との間に、おおよそ矩形を呈する第一挿入接続ブロック３５と第二挿入接続ブロック３６を設置する。ベース３１後表面の一端には、横壁３７、及び横壁３７の両端とそれぞれ垂直に連続する両側壁３８を設置する。横壁３７の中央部は、後方へと開口部３７１を開設する。開口部３７１の一端は、開口部３７１内へと突出し、係合ブロック３７２を備える。ベース３１後表面の反対端には、突出した２個の噛み合い部３９を備え、２個の噛み合い部３９末端は、ベース３１両側へとそれぞれ延伸して、係合フック部３９１を形成する。挿入接続槽３２、第一溝３３、第二溝３４、及び第一溝３３と第二溝３４との間に位置する第一挿入接続ブロック３５と第二挿入接続ブロック３６は、第二挿入接続構造を構成する。
【００１４】
図２、３、４、５、６に示すように、蓋体３０を設置する時には、先ず、第一弧状部１３１２と第二弧状部１３２２を、挿入接続槽３２上下両辺縁に接続する。すると、第一横部１３１１と第三横部１３２１は、第一溝３３内に対応して収容され、第二横部１３１３と第四横部１３２３は、第二溝３４内に対応して収容され、第一挿入接続ブロック３５は、第二収容孔１３４内に収容され、第二挿入接続ブロック３６は、第一収容孔１３３内に収容される。こうして、第一挿入接続構造と第二挿入接続構造とは、挿入方式により、相互に対応する。開口部３７１は、導引斜面１４２により導引され、凸台１４１上に係合し、横壁３７は、開槽１４内に合わさり、両側壁３８は、開槽１４内の凸台１４１両側に収容設置される。噛み合い部３９は、係合槽１５内に係合し、係合フック部３９１は、固定槽１５１内に収容される。こうして、蓋体３０は、絶縁本体１０上に嵌設される。
【００１５】
上記したように、本考案のオーディオコンセントコネクター１００は、本体部１１上に設置する第一挿入接続構造と、蓋体３０上に設置する第二挿入接続構造との相互挿入接続により、組立て間隙を減少させ、多重隔絶を形成することで、挿入接続孔１１１から蓋体３０へと流入した水を隔絶し、挿入接続孔１１１内に留まらせることができる。こうして、挿入接続孔１１１から、水がオーディオコンセントコネクター１００を配置する電子製品中へと進入しないようにすることができる。
【００１６】
上記の本考案名称と内容は、本考案の最適実施例に過ぎず、本考案技術内容の説明に用いたのみで、本考案を限定するものではない。上記した実施例は、多くの等価置換、或いは簡易な改変を行うことができる。例えば、絶縁本体１０の本体部１１上の第一挿入接続構造を、環状の挿入部とし、蓋体３０のベース３１の第二挿入接続構造を、環状の収容設置槽とすることができ、また、絶縁本体１０の本体部１１上の第一挿入接続構造を、環状の収容設置槽とし、蓋体３０のベース３１の第二挿入接続構造を、環状の挿入部とすることができる。この場合には、組み立て時に、挿入部を収容設置槽内に挿入し、これによっても、上記と同様の防水効果を達成することができる。
【産業上の利用可能性】
【００１７】
本考案は実用新案の要件である新規性を備え、従来の同類製品に比べ十分な進歩を有し、実用性が高く、社会のニーズに合致しており、産業上の利用価値は非常に大きい。
【符号の説明】
【００１８】
１００  オーディオコンセントコネクター
１０  絶縁本体
１１  本体部
１１１  挿入接続孔
１２  対応接続部
１２１  収容設置孔
１３  挿入接続部
１３１  第一係合部
１３１１  第一横部
１３１２  第一弧状部
１３１３  第二横部
１３２  第二係合部
１３２１  第三横部
１３２２  第二弧状部
１３２３  第四横部
１３３  第一収容孔
１３４  第二収容孔
１４  開槽
１４１  凸台
１４２  導引斜面
１５  係合槽
１５１  固定槽
１６  音声端子槽
１７  充電端子槽
１８  定位ブロック
１９  係合点
２０  端子
２１  伝送端子ユニット
２１１  音声端子
２１２  充電端子
２２  スイッチ端子ユニット
２２１  固定端子
２２２  弾性端子
２２３  嵌合孔
２２４  定位孔
３０  蓋体
３１  ベース
３２  挿入接続槽
３２１  収容槽
３３  第一溝
３４  第二溝
３５  第一挿入接続ブロック
３６  第二挿入接続ブロック
３７  横壁
３７１  開口部
３７２  係合ブロック
３８  両側壁
３９  噛み合い部
３９１  係合フック部
【図１】
0003152592.tif 000003
【図２】
0003152592.tif 000004
【図３】
0003152592.tif 000005
【図４】
0003152592.tif 000006
【図５】
0003152592.tif 000007
【図６】
0003152592.tif 000008